(57)【特許請求の範囲】
【請求項１】
建築物の壁仕上用下地材として柱間に取り付けて使用される、間隔をおいて平行に配置された複数の表側帯状小巾板と、間隔をおいて平行に配置された複数の裏側帯状小巾板とを互いに交差させた状態で接合一体化してなる壁仕上用下地パネルであって、
前記複数の表側帯状小巾板は水平方向に設置され、且つ前記複数の裏側帯状小巾板は前記表側帯状小巾板に対して３０〜６０度の角度で傾斜して設置された状態で、前記柱間に取り付けられることを特徴とする壁仕上用下地パネル。
【請求項２】
建築物の壁仕上用下地材として柱間に取り付けて使用される、間隔をおいて平行に配置された複数の表側帯状小巾板と、間隔をおいて平行に配置された複数の裏側帯状小巾板とを互いに交差させた状態で接合一体化してなる壁仕上用下地パネルであって、
前記複数の表側帯状小巾板は垂直方向に設置され、且つ前記複数の裏側帯状小巾板は前記表側帯状小巾板に対して３０〜６０度の角度で傾斜して設置された状態で、前記柱間に取り付けられることを特徴とする壁仕上用下地パネル。
【請求項３】
請求項１又は２に記載の壁仕上用下地パネルを用いた壁構造であって、前記柱間に取り付けた前記壁仕上用下地パネルの表面を覆って防水シートを取り付け、さらにラスを設置しモルタルを塗着することにより構成されることを特徴とする壁構造。
【請求項４】
請求項１又は２に記載の壁仕上用下地パネルを用いた壁構造であって、前記柱間に取り付けた前記壁仕上用下地パネルの表面を覆って防水シートを取り付け、さらに取付用金具を設置してサイディングを取り付けることにより構成されることを特徴とする壁構造。
【発明の詳細な説明】
【０００１】
【発明の属する技術分野】
本発明は壁仕上用下地パネル及び該壁仕上用下地パネルを用いた壁構造に関する。
【０００２】
【従来の技術及び発明が解決しようとする課題】
例えば木造建築物の壁の仕上げには、壁に沿って取り付けた下地構成材の表面を、モルタルやサイディング、あるいは漆喰や土塗等の表面仕上げ材で覆って仕上げる方法が一般に採用されている。かかる方法に用いる下地構成材としては、従来より、木摺り下地や、合板等による面材張り耐力下地が用いられ、柱や間柱等によって両側を区画された柱間に取り付けて使用されていた。
【０００３】
しかしながら、前者の木摺り下地によれば、小巾板を一枚一枚水平に釘打ちして設けられるものであったため、設置作業に多くの手間と時間を要すると共に、壁の内部の通気がとりずらく、また壁耐力を得るための強度を期待することはできなかった。一方、後者の合板等による面材張り耐力下地によれば、十分な強度は得られるが、通気を取りにくく、また接着剤層の存在等により透湿抵抗が高いため、壁の耐久性を確保しずらかった。
【０００４】
これに対して、十分な強度と通気が得られる壁仕上用下地パネルが、例えば実開昭６１−７１７３０号や、特開２０００−１６０７３２に記載されている。これらの公報に記載の壁仕上用下地パネルは、表側の面を構成する複数の帯状小巾板と裏側の面を構成する複数の帯状小巾板とを、互いに交差するよう相反する方向に傾斜させつつ、間隔をおいて平行に配置した状態で接合一体化したものであり、帯状小巾板の間の間隔を経て空気を上昇させることにより十分な通気を確保でき、また相反する方向に傾斜させた帯状小巾板を筋交いのように機能させて、構造用耐力部材としての所望の強度が得られるようにしたものである。
【０００５】
複数の帯状小巾板を接合一体化してなる従来の壁仕上用下地パネルによれば、これの表面側に防水シートやラス、サイディング等を設けるために行う釘打ち作業やサイディング取付金具の取り付け作業は、斜め方向に延設し、かつ間隔をおいて設置された帯状小巾板に対して施工することになる。したがって、壁仕上用下地パネルが防水シート等によって覆われている場合には、帯状小巾板間の間隔を避けた所望の位置に、釘を精度良く打ち込んだり、サイディング取付金具を精度良く固定するための位置決めに多くの手間や熟練を要することになり、壁の施工をスムースに行うことができなかった。
【０００６】
本発明は、このような従来の課題に着目してなされたもので、柱間に取り付けた後に、表面側に壁の構成部材を取付ける作業を容易かつ精度良く行うことを可能にすると共に、十分な通気と強度を得ることのできる壁仕上用下地パネル及び壁構造を提供することを目的とする。
【０００７】
【課題を解決するための手段】
本発明は、建築物の壁仕上用下地材として柱間に取り付けて使用される、間隔をおいて平行に配置された複数の表側帯状小巾板と、間隔をおいて平行に配置された複数の裏側帯状小巾板とを互いに交差させた状態で接合一体化してなる壁仕上用下地パネルであって、前記複数の表側帯状小巾板は水平方向に設置され、且つ前記複数の裏側帯状小巾板は前記表側帯状小巾板に対して３０〜６０度の角度で傾斜して設置された状態で、前記柱間に取り付けられることを特徴とする壁仕上用下地パネルを提供することにより、上記目的を達成したものである（請求項１記載の発明）。
【０００８】
また、本発明は、建築物の壁仕上用下地材として柱間に取り付けて使用される、間隔をおいて平行に配置された複数の表側帯状小巾板と、間隔をおいて平行に配置された複数の裏側帯状小巾板とを互いに交差させた状態で接合一体化してなる壁仕上用下地パネルであって、前記複数の表側帯状小巾板は垂直方向に設置され、且つ前記複数の裏側帯状小巾板は前記表側帯状小巾板に対して３０〜６０度の角度で傾斜して設置された状態で、前記柱間に取り付けられることを特徴とする壁仕上用下地パネルを提供することにより、上記目的を達成したものである（請求項２記載の発明）。
【０００９】
さらに、本発明は、前記いずれかに記載の壁仕上用下地パネルを用いた壁構造であって、前記柱間に取り付けた前記壁仕上用下地パネルの表面を覆って防水シートを取り付け、さらにラスを設置しモルタルを塗着することにより構成されることを特徴とする壁構造を提供することにより、上記目的を達成したものである（請求項３記載の発明）。
【００１０】
さらにまた、本発明は、前記いずれかに記載の壁仕上用下地パネルを用いた壁構造であって、前記柱間に取り付けた前記壁仕上用下地パネルの表面を覆って防水シートを取り付け、さらに取付用金具を設置してサイディングを取り付けることにより構成されることを特徴とする壁構造を提供することにより、上記目的を達成したものである（請求項４記載の発明）。
【００１１】
本発明の壁仕上用下地パネルによれば、柱間の形状に沿った例えば縦長の矩形形状を備えており、両側端部を固定釘等を用いて例えば柱や間柱に固定することにより柱間に取り付けられた際に、複数の表側帯状小巾板は、各々水平方向或いは垂直方向に延設して設置されることになる。従って、所定の高さ位置或いは所定の幅方向の位置においては、各一枚の表側帯状小巾板が水平方向或いは垂直方向に隙間なく連続していることになり、これによって壁仕上用下地パネルの表面側が防水シート等によって覆われている場合でも、この連続する水平方向或いは垂直方向の帯状のラインに沿って、釘を打ち込む位置やサイディング取付金具の取り付け位置等を容易かつ精度良く位置決めすることが可能になる。このように水平方向或いは垂直方向へ精度良く位置決めできることにより、壁仕上用下地パネルの表面側に、防水シートやラス、サイディング等の壁の構成部材を、多くの手間や熟練を要することなく、スムースに施工して行くことが可能になる。
【００１２】
また、本発明の壁仕上用下地パネルによれば、柱間に取り付けられた際に、複数の裏側帯状小巾板は、各々水平方向或いは垂直方向に対して３０〜６０度の角度で傾斜する方向に延設して設置されることになる。従って、裏側帯状小巾板は、斜めに設置されて筋交いのように機能し、柱間に取り付けられた壁仕上用下地パネルに構造用耐力部材としての強度を発揮させることが可能になる。
【００１３】
さらに、本発明の壁仕上用下地パネルによれば、斜めに設置された裏側帯状小巾板間の斜めに延設する隙間を介して空気を上昇させることができると共に、これと交差する表側帯状小巾板間の水平或いは垂直に延設する隙間を経て、上方の斜めに延設する隙間に空気がスムースに移動することができ、これによって壁仕上用下地パネルの全体の通気を容易に図ることが可能になる。
【００１４】
【発明の実施の形態】
以下本発明の好ましい第１実施形態を図面を参照しつつ詳細に説明する。本第１実施形態に係る壁仕上用下地パネル１０は、建築物の壁仕上用下地材として柱間に取り付けて使用される下地構成材であって（図２参照）、図１（ａ）〜（ｃ）に示すように、間隔１１ａをおいて平行に配置された複数の表側帯状小巾板１１と、間隔１２ａをおいて平行に配置された複数の裏側帯状小巾板１２とを互いに交差させた状態で接合一体化してなるものである。本第１実施形態の壁仕上用下地パネル１０は、全体として例えば幅９００ｍｍ程度、高さ３０００ｍｍ程度の縦長の矩形の平面形状を有し、両側を柱や間柱１３によって区画された柱間に対応した大きさとなっていて、当該柱間を壁の表側から覆うようにして取り付けられる。また、本第１実施形態の壁仕上用下地パネル１０は、複数の表側帯状小巾板１１を水平方向に設置し、且つ複数の裏側帯状小巾板１２を表側帯状小巾板１１に対して４５度の角度で傾斜して設置した状態で、柱間に取り付けられる。さらに、本第１実施形態によれば、柱間に取り付けられた壁仕上用下地パネル１０には、図２に示すように、これの表面を覆って防水シート１４が取り付けられ、さらにラス１５やラスモルタル１６、繊維ネット１７、コテ塗り外装材１８を施工することによって、建築物の外壁の壁構造が形成されることになる。
【００１５】
壁仕上用下地パネル１０を構成する表側帯状小巾板１１は、巾８０〜１００ｍｍ程度、厚さ９〜１２ｍｍ程度の大きさの平坦な矩形断面形状を有する、９００ｍｍ程度の長さの木製の板部材である。本第１実施形態によれば、表側帯状小巾板１１は８０〜１００ｍｍ程度の間隔１１ａをおいて水平方向に平行に延設して配置され、例えば１５〜２１枚（本第１実施形態では２１枚）設置される。
【００１６】
壁仕上用下地パネル１０を構成する裏側帯状小巾板１２は、巾８０〜１００ｍｍ程度、厚さ９〜１２ｍｍ程度の大きさの平坦な矩形断面形状を有する木製の板部材である。本第１実施形態によれば、裏側帯状小巾板１２は５５〜７１ｍｍ程度の間隔１２ａをおいて水平方向に対して４５度の角度で傾斜する方向に平行に延設して配置され、例えば２０〜２７枚（本第１実施形態では２７枚）設置される。また、裏側帯状小巾板１２は、一対の対向する角の部分を除いた部分に１２７０ｍｍ程度の長さに切断された平行四辺形状のものが使用され、一対の対向する角の部分には、表側帯状小巾板１１と接合一体化された壁仕上用下地パネル１０の平面形状が矩形形状となるように、長さを順次短くして切断した等脚台形状或いは２等辺三角形状のものが使用される。
【００１７】
表側帯状小巾板１１と裏側帯状小巾板１２は、互いに重り合う交差部分で接着剤を介して互いに接合され、複数の表側帯状小巾板１１と複数の裏側帯状小巾板１２とが接合一体化された壁仕上用下地パネル１０が形成される。なお、本第１実施形態によれば、壁仕上用下地パネル１０の両側部の端面においては、平行に設置された表側帯状小巾板１１の切断面の高さと斜めに設置された裏側帯状小巾板１２の切断面の高さとを合致させた状態で、表側帯状小巾板１１と裏側帯状小巾板１２とが表裏に隣接して密着するようになっている。従って、表側帯状小巾板１１の長手方向と垂直な方向の幅は、裏側帯状小巾板１２の長手方向と垂直な方向の幅の、略１．４２倍（２1/2 倍）となっている。
【００１８】
そして、本第１実施形態によれば、壁仕上用下地パネル１０は、両側端部を固定釘１９等を用いて柱や間柱１３に固定することにより柱間に取り付けられると共に、取り付けられた壁仕上用下地パネル１０の表面側には、防水シート１４、ラス１５、ラスモルタル１６、繊維ネット１７、コテ塗り外装材１８等の外壁の壁構造の構成部材が施工される。ここで、壁仕上用下地パネル１０の表側帯状小巾板１１は、各設置高さにおいて水平方向に延設されて隙間なく連続しているので、防水シート１４によって覆われた壁仕上用下地パネル１０に対して、所望の高さに位置する表側帯状小巾板１１による水平方向の帯状のラインに沿って、釘やタッカーを打ち込む位置を容易かつ精度良く位置決めしてゆくことがことが可能になる。
【００１９】
また、壁仕上用下地パネル１０の裏側帯状小巾板１２は、水平方向に対して４５度の角度で傾斜する方向に延設して設置されることにより筋交いのように機能し、壁仕上用下地パネル１０に構造用耐力部材としての強度を発揮させると共に、裏側帯状小巾板１２間の斜めに延設する隙間１２ａと、これと交差する表側帯状小巾板１１間の水平な隙間１１ａとを介して、空気を効率良く上昇させつつ壁仕上用下地パネル１０の全体の通気を容易かつ効果的に図ることが可能になる。
【００２０】
すなわち、本第１実施形態の壁仕上用下地パネル１０及び壁構造によれば、壁仕上用下地パネル１０を柱間に取り付けた後に、表面側に外壁の構成部材を取付ける作業を容易かつ精度良く行うことが可能になると共に、十分な通気と強度を容易に得ることが可能になる。
【００２１】
図３（ａ）〜（ｃ）は、本発明の第２実施形態に係る壁仕上用下地パネル２０を示すものである。本第２実施形態の壁仕上用下地パネル２０は、上記第１実施形態の壁仕上用下地パネル１０と同様に、建築物の壁仕上用下地材として柱間に取り付けて使用される下地構成材であって（図３参照）、間隔２１ａをおいて平行に配置された複数の表側帯状小巾板２１と、間隔２２ａをおいて平行に配置された複数の裏側帯状小巾板２２とを互いに交差させた状態で接合一体化してなり、両側を柱や間柱１３によって区画された柱間に対応した、例えば幅９００ｍｍ程度、高さ３０００ｍｍ程度の縦長の矩形の平面形状を有している。また、本第２実施形態の壁仕上用下地パネル２０は、複数の表側帯状小巾板２１を垂直方向に設置し、且つ複数の裏側帯状小巾板２２を表側帯状小巾板２１に対して４５度の角度で傾斜して設置した状態で、柱間に取り付けられる。さらに、本第２実施形態によれば、柱間に取り付けられた壁仕上用下地パネル２０には、図４に示すように、これの表面を覆って防水シート１４が取り付けられ、さらにサイディング取付金具２４に支持させてサイディング２３を設置することにより、建築物の外壁の壁構造が形成されることになる。
【００２２】
壁仕上用下地パネル２０を構成する表側帯状小巾板２１は、巾８０〜１００ｍｍ程度、厚さ９〜１２ｍｍ程度の大きさの平坦な矩形断面形状を有する、３０００ｍｍ程度の長さの木製の板部材である。本第２実施形態によれば、表側帯状小巾板２１は８０〜１００ｍｍ程度の間隔２１ａをおいて垂直に平行に延設して配置され、例えば５〜７枚（本題２実施形態では７枚）設置される。
【００２３】
壁仕上用下地パネル２０を構成する裏側帯状小巾板１２は、巾８０〜１００ｍｍ程度、厚さ９〜１２ｍｍ程度の大きさの平坦な矩形断面形状を有する木製の板部材である。本第２実施形態によれば、裏側帯状小巾板１２は５５〜７１ｍｍ程度の間隔１２ａをおいて垂直方向に対して４５度の角度で傾斜する方向に平行に延設して配置され、例えば２０〜２７枚（本第２実施形態では２７枚）設置される。また、裏側帯状小巾板２２は、一対の対向する角の部分を除いた部分に１２７０ｍｍ程度の長さに切断された平行四辺形状のものが使用され、一対の対向する角の部分には、表側帯状小巾板２１と接合一体化されたパネル２０の平面形状が矩形形状となるように、長さを順次短くして切断した等脚台形状或いは２等辺三角形状のものが使用される。
【００２４】
表側帯状小巾板２１と裏側帯状小巾板２２は、互いに重り合う交差部分で接着剤を介して互いに接合され、複数の表側帯状小巾板２１と複数の裏側帯状小巾板２２とが接合一体化された壁仕上用下地パネル２０が形成される。なお、本第２実施形態によれば、壁仕上用下地パネル２０の上下の端面においては、垂直に設置された表側帯状小巾板２１の切断面の幅と斜めに設置された裏側帯状小巾板２２の切断面の幅とを合致させた状態で、表側帯状小巾板２１と裏側帯状小巾板２２とが表裏に隣接して密着するようになっている。従って、表側帯状小巾板２１の長手方向と垂直な方向の幅は、裏側帯状小巾板２２の長手方向と垂直な方向の幅の略１．４２倍（２1/2 倍）となっている。
【００２５】
そして、本第２実施形態によれば、壁仕上用下地パネル２０は、両側端部に位置する表側帯状小巾板２１に固定釘１９等を打ち込むことにより柱や間柱１３に固定して柱間に取り付けられると共に、取り付けられた壁仕上用下地パネル２０の表面側には、防水シート１４やサイディング２３等の外壁の壁構造の構成部材が施工される。ここで、壁仕上用下地パネル２０の各表側帯状小巾板２１は、各取付け位置において垂直方向に延設されて隙間なく連続しているので、壁仕上用下地パネル２０を覆って防水シート１４を取り付ける際に、表側帯状小巾板２１による垂直方向の帯状のラインに沿って、防水シート１４を固定するための釘やタッカーを打ち込む位置を、容易かつ精度良く位置決めしてゆくことがことが可能になる。また本第２実施形態によれば、表側帯状小巾板２１は垂直方向に連続しているので、サイディング２３を支持固定するサイディング取付金具２４を、当該表側帯状小巾板２１に沿った任意の高さ位置に容易に位置決め固定することができ、これによって、縦胴縁を別途設置することなく、サイディング２３を所定の位置に精度良くスムースに取り付けて行くことが可能になる。
【００２６】
また、壁仕上用下地パネル２０の裏側帯状小巾板２２は、垂直方向に対して４５度の角度で傾斜する方向に延設して設置されることにより筋交いのように機能し、壁仕上用下地パネル２０に構造用耐力部材としての強度を発揮させると共に、裏側帯状小巾板２２間の斜めに延設する隙間２２ａと、これと交差する表側帯状小巾板２１間の垂直な隙間２１ａとを介して、空気を効率良く上昇させつつ壁仕上用下地パネル２０の全体の通気を容易かつ効果的に図ることが可能になる。
【００２７】
すなわち、本第２実施形態の壁仕上用下地パネル２０及び壁構造によれば、上記第１実施形態と同様に、壁仕上用下地パネル２０を柱間に取り付けた後に、表面側に外壁の構成部材を取付ける作業を容易かつ精度良く行うことが可能になると共に、十分な通気と強度を容易に得ることが可能になる。
【００２８】
なお、本発明は上記各実施形態に限定されることなく種々の変更が可能である。例えば、水平方向或いは垂直方向に設置された表側帯状小巾板に対する裏側帯状小巾板の傾斜角度は、４５度である必要は必ずしもなく、３０〜６０度の角度で傾斜していれば良い。また、壁仕上用下地パネルの平面形状は、柱間の大きさや形状に合わせて適宜設計することができる。さらに、本発明の壁仕上用下地パネル及び壁構造は、外壁に限定されることなく、その他の種々の建築物の壁に採用することができる。
【００２９】
【発明の効果】
以上詳細に説明したように、本発明の壁仕上用下地パネル及び壁構造によれば、壁仕上用下地パネルを柱間に取り付けた後に、表面側に壁の構成部材を取付ける作業を容易かつ精度良く行うことを可能にすると共に、壁に十分な通気と強度をもたらすことができる。
【図面の簡単な説明】
【図１】本発明の第１実施形態に係る壁仕上用下地パネルを示す、（ａ）は正面図、（ｂ）は右側面図、（ｃ）上面図である。
【図２】本発明の第１実施形態に係る壁仕上用下地パネルを用いた壁構造の構成を説明する一部破断斜視図である。
【図３】本発明の第２実施形態に係る壁仕上用下地パネルを示す、（ａ）は正面図、（ｂ）は右側面図、（ｃ）上面図である。
【図４】本発明の第２実施形態に係る壁仕上用下地パネルを用いた壁構造の構成を説明する一部破断斜視図である。
【符号の説明】
１０，２０  壁仕上用下地パネル
１１，２１  表側帯状小巾板
１１ａ，２１ａ  表側帯状小巾板間の間隔
１２，２２  裏側帯状小巾板
１２ａ，２２ａ  裏側帯状小巾板間の間隔
１３  柱や間柱
１４  防水シート
１５  ラス
１６  ラスモルタル
１７  繊維ネット
１８  コテ塗り外装材
１９  固定釘
２３  サイディング
２４  サイディング取付金具
【図１】
0004672921.tif 000002
【図２】
0004672921.tif 000003
【図３】
0004672921.tif 000004
【図４】
0004672921.tif 000005